(57)【特許請求の範囲】
【請求項１】
電動送風機と、
前記電動送風機の駆動により吸込口から吸気して排気口より排気する風路中に配設された集塵装置と、
前記集塵装置の上流側の吸気風路にイオンを供給するイオン発生器と、を備え、
前記イオン発生器は、箱状の筐体と、該筐体の中に収容されイオンを発生するイオン発生部と、前記筐体に設けられ前記イオン発生部と前記吸気風路とを連通する開口部と、前記筐体に設けられ該筐体の外部から前記イオン発生部に電力を供給するリード線が挿通される穴部とを有し、
前記電動送風機が駆動され前記吸気風路内が負圧になると、前記筐体の外気が前記筐体内から前記開口部を経由して前記吸気風路に侵入可能な隙間を前記穴部と前記リード線との間に形成し、
前記イオン発生器は、前記開口部が前記吸気風路の湾曲部に連通するように設けられていることを特徴とする電気掃除機。
【請求項２】
前記集塵装置が掃除機本体に配設され、
前記掃除機本体の吸込部と前記集塵装置の入口部とを連通するダクトを備え、
前記ダクト中にイオンが供給されるようにしたことを特徴とする請求項１に記載の電気掃除機。
【請求項３】
前記イオン発生器は、前記開口部が前記湾曲部の内周側に連通するように設けられていることを特徴とする請求項１または請求項２に記載の電気掃除機。
【発明の詳細な説明】
【技術分野】
【０００１】
本発明は、イオン発生器を有する電気掃除機に関するものである。
【背景技術】
【０００２】
従来の電気掃除機は、電動送風機によって吸気を発生させ、塵埃を含む空気を集塵装置に取り込み、紙パック式のようにフィルターで塵埃をろ過したり、サイクロン式のように塵埃を含む空気を旋回してその遠心力により塵埃を分離して、集塵する。
【０００３】
電気掃除機において、吸気が通過する吸気通路を構成する部材は、空気との摩擦により帯電する。また、空気と塵埃の摩擦により塵埃が帯電する。特に空気と塵埃とを旋回して両者を分離するサイクロン式掃除機においては、空気が集塵装置内の壁面に沿って旋回するので集塵装置が帯電しやすい。また、空気との摩擦によって帯電した塵埃も空気とともに集塵装置内を旋回するので、帯電した塵埃が集塵装置内の壁面接触することによっても集塵装置が帯電する。
【０００４】
集塵装置や集塵装置の内部の塵埃が帯電すると、電気掃除機の使用者が集塵装置内に溜められた塵埃を廃棄するときに、塵埃が集塵装置の内壁面に付着して廃棄しにくくなったり、塵埃が集塵装置から飛び出して周囲に飛び散ったりすることがあるといった問題があった。
【０００５】
塵埃や集塵装置の帯電を防ぐためには、吸気にイオンを供給する方法がよく用いられる。帯電している塵埃の逆極性のイオンが塵埃に付着することで塵埃の帯電を抑え、微細な塵埃が凝集しやすくなり、塵埃を大きくすることができるという効果もある。その結果、フィルターや旋回による空気と塵埃の分離効果を高められるので吸引力の持続に繋がる。
【０００６】
従来の電気掃除機では、イオン発生器を吸気側に設け、さらに塵埃を含む空気の吸気路とは別の吸気路をイオン発生器に設けることで、イオン発生器内に塵埃が進入することを抑制し、イオン発生器が塵埃に汚染されてイオンの発生が減少してしまうことを防いでいる。その結果、イオンを安定して供給することができる。しかしながら、塵埃を含む空気の吸気路とは別の吸気路を設けると、吸引力が低下する。特に、塵埃捕集室に塵埃が溜まった場合に吸気路内の圧力が高くなり（圧力は大気圧より低い状態）、この状態での吸引性能の低下が問題となる。そこで、イオン発生器に設けられる吸気路に弁機構を設けることで、吸気路内の圧力が高くなったとき弁が閉まり、吸引力の低下を防止するものがある（例えば特許文献１参照）。
【先行技術文献】
【特許文献】
【０００７】
【特許文献１】特開２０１１−１５８８１ (４頁、図４)
【発明の概要】
【発明が解決しようとする課題】
【０００８】
しかしながら、上記の従来の電気掃除機では、弁機構による部品点数の増加や、高圧時には弁が閉まるのでイオンを安定して供給できないという課題があった。
【０００９】
本発明は、前述のような課題を解決するためになされたものであり、塵埃の付着によるイオン発生器の汚損を防止するとともに、吸気風路に対して簡単な構造で、安定してイオンを供給することの出来る電気掃除機を提供することを目的とする。
【課題を解決するための手段】
【００１０】
本発明の電気掃除機は、電動送風機と、電動送風機の駆動により吸込口から吸気して排気口より排気する風路中に配設された集塵装置と、集塵装置の上流側の吸気風路にイオンを供給するイオン発生器と、を備え、イオン発生器は、箱状の筐体と、この筐体の中に配設されイオンを発生するイオン発生部と、筐体に設けられイオン発生部と吸気風路とを連通する開口部と、筐体に設けられこの筐体の外部からイオン発生部に電力を供給するリード線が挿通される穴部とを有し、電動送風機が駆動され吸気風路内が負圧になると、筐体の外気が筐体内から開口部を経由して吸気風路に侵入可能な隙間を穴部とリード線との間に形成し、イオン発生器は、開口部が吸気風路の湾曲部に連通するように設けられているものである。
【発明の効果】
【００１１】
本発明によれば、電動送風機が駆動され吸気風路内が負圧になると、外気がイオン発生器の筐体内を経由して吸気風路に侵入可能な隙間を、筐体に設けた穴部とイオン発生部へ電力を供給するリード線との間に形成したので、塵埃の付着によるイオン発生器の汚損を防止するとともに、吸気風路に対して簡単な構造で、吸引性能の低下を抑制するとともに安定してイオンを供給することができる。
【図面の簡単な説明】
【００１２】
【図１】本発明の実施の形態１に係る電気掃除機の外観を示す斜視図である。
【図２】本発明の実施の形態１に係る電気掃除機の集塵装置を示す正面図、側面図および断面図である。
【図３】本発明の実施の形態１に係る電気掃除機の掃除機本体の中央断面図である。
【図４】本発明の実施の形態１に係る電気掃除機の掃除機本体から集塵装置を取り外した状態の斜視図である。
【図５】図４における掃除機本体からイオン発生器を取り外した状態の斜視図である。
【図６】本発明の実施の形態１に係る電気掃除機の掃除機本体に配設されるダクトの斜視図である。
【図７】本発明の実施の形態１に係る電気掃除機の掃除機本体に配設されるダクトにイオン発生器が装着される位置での掃除機本体及びダクトの横断面図である。
【図８】本発明の実施の形態１に係る電気掃除機のダクトの掃除機本体への取付位置決め部の位置での横断面図である。
【図９】本発明の実施の形態１に係る電気掃除機のダクトの掃除機本体への取付部の位置での縦断面図である。
【図１０】本発明の実施の形態１に係る電気掃除機のイオン発生器の縦断面図および開口部からみた正面図である。
【図１１】本発明の実施の形態１に係る電気掃除機のイオン発生器のイオン発生部の構成を説明する図である。
【図１２】本発明の実施の形態１に係る電気掃除機のイオン発生器のイオンの流れを説明する図である。
【図１３】本発明の実施の形態２に係る電気掃除機のダクト湾曲部の空気の流れを説明する模式図である。
【発明を実施するための形態】
【００１３】
実施の形態１．
集塵方式としてサイクロン式集塵方式を例にとり説明する。本発明は、サイクロン式集塵方式にかぎらず、紙パック集塵方式の場合にも適用できる。
図１は、本発明の実施の形態１に係る電気掃除機の外観を示す斜視図である。図２の（ａ）、（ｂ）及び（ｃ）は、それぞれ、実施の形態１に係る電気掃除機の集塵装置を示す正面図、側面図および断面図である。図３は、実施の形態１に係る電気掃除機の掃除機本体の中央断面図である。図４は、実施の形態１に係る電気掃除機の掃除機本体から集塵装置を取り外した状態の斜視図である。図５は、図４における掃除機本体からイオン発生器を取り外した状態の斜視図である。図６は、実施の形態１に係る電気掃除機の掃除機本体に配設されるダクトの斜視図である。図７は、実施の形態１に係る電気掃除機の掃除機本体に配設されるダクトにイオン発生器が装着される位置での掃除機本体及びダクトの横断面図である。図８は、実施の形態１に係る電気掃除機のダクトの掃除機本体への取付位置決め部の位置での横断面図である。図９は、実施の形態１に係る電気掃除機のダクトの掃除機本体への取付部の位置での縦断面図である。図１０の（ａ）及び（ｂ）は、それぞれ、実施の形態１に係る電気掃除機のイオン発生器の縦断面図および開口部からみた正面図である。図１１は、実施の形態１に係る電気掃除機のイオン発生器のイオン発生部の構成を説明する図である。図１２は、実施の形態１に係る電気掃除機のイオン発生器のイオンの流れを説明する図である。
【００１４】
図１に示すように、電気掃除機１００において、掃除機本体１の前部にあるホース差込口７に、一端にホース差込部６と他端にホース手元部４を持つ軟質の蛇腹ホース５のホース差込部４を接続し、ホース手元部４に延長パイプ３を接続し、さらに吸込具２を接続する。ホース手元部２には複数の操作スイッチ（図示せず）が配設され、操作された操作スイッチに基づき掃除機本体１内部に配設された制御部（図示せず）が、後述する電動送風機の駆動、停止、出力の設定の制御を行う。吸込具２の下面には開口された吸込口２ａが形成される。
【００１５】
掃除機本体１は、集塵装置であるサイクロン式集塵部１０が収容される集塵室２０と、送風室１２を有する。サイクロン式集塵部１０へは、ホース差込口７から掃除機本体の吸込部である第１の本体吸気口７ａを経由して接続される。送風室１２内には電動送風機１３が設けられる。
【００１６】
サイクロン式集塵部１０は掃除機本体１の上部に着脱自在に設けられる。ダクト８により、第１の本体吸気口７ａとサイクロン式集塵部１０のサイクロン吸気口１０ａとが連通する。サイクロン式集塵部１０のサイクロン吸気口１０ａとサイクロン排気口１０ｂとが連通する（図２参照）。サイクロン排気口１０ｂは掃除機本体１に設けた第２の本体吸気口１１と接続される。第２の本体吸気口１１は送風室１２と連通する。送風室１２は、サイクロン式集塵部１０に対し、ダクト８と反対側に取り付けられる排気部１４と連通する。排気部１４には多数の穴から構成される排気口１４ａが設けられる。なお、送風室１２から排出される空気の一部は、制御部の制御基板（図示せず）を冷却し、電源コードリールを冷却して、排気口１４ａとは別の排気口（図示せず）から掃除機本体１の外部へ排気される。
【００１７】
このように、吸込具２の下面に形成された吸込口２ａから、排気部１４に形成された排気口１４ａに至る風路が形成され、この風路中に集塵装置であるサイクロン式集塵部１０が配設される。また、サイクロン式集塵部１０の上流側の風路である吸気風路にイオンを供給するイオン発生器９が設けられる（図４参照）。
【００１８】
図２（ａ）、（ｂ）及び（ｃ）は、それぞれ、サイクロン式集塵部１０の正面図、側面図及び断面図である。サイクロン式集塵部１０は、第１の遠心分離筒１０１の中心軸Ａ１０３及び第２の遠心分離筒１０２の中心軸Ｂ１０４と略平行になるように配置されており、分離した塵埃を溜めるための集塵装置内集塵室１０５を備えている。ハンドル１０６は、サイクロン式集塵部１０の前面側上面に設けられ、掃除機本体１及びサイクロン式集塵部９の持ち運び共用である。
【００１９】
図３は掃除機本体１にサイクロン式集塵部１０がセットされた状態の中央断面図である。第１の本体吸気口７ａと、後述するダクト８の連結部である第１部材８１の第１のダクト吸気口８ａとは、パッキン２１によりシールされている。
【００２０】
図６はダクト８の外観を示す。ダクト８は、第１部材８１、第２部材８２、第３部材８３、及び第４部材８４の４部品から構成され、それぞれ、パッキン８ｆを介して接続される。第１部材８１は、第１の本体吸気口７ａとパッキン２１を介して接続される第１のダクト吸気口８ａを有する。第２部材３２は略Ｌ字形状で湾曲部を有し、後述するイオン発生器９の開口部９ｃと接続される第２のダクト吸気口８ｃが形成される。第３部材８３は、下面に掃除機本体１との取り付けの位置決め部８ｅを有する（図８参照）。第４部材８４は、サイクロン式集塵部１０のサイクロン吸気口１０ａと接続されるダクト排気口８ｂを有する。また、取付部８ｄを有し、ネジ２３により掃除機本体１に固定される（図９参照）。
【００２１】
図１０（ａ）及び（ｂ）は、それぞれ、イオン発生器９の縦断面図及び第２のダクト吸気口８ｃと接続される開口部９ｃ側から見た正面図である。イオン発生器９は、箱状の筐体９ａと、その中に収容されイオンを発生するイオン発生部９ｂと、筐体９ａに設けられイオン発生部９ｂと吸気風路とを連通する開口部９ｃと、筐体９ａに設けられ筐体９ａの外部からイオン発生部９ｂに電力を供給する２本のリード線９ｄ、９ｅがそれぞれ挿通される穴部９ｆ、９ｇとを備える。２本のリード線９ｄ及び９ｅは直流高電圧発生装置（図示せず）と接続され、それぞれ、５ｋＶ程度の負電圧及びゼロ電圧が出力される。この直流高電圧発生装置は制御部により、起動、電圧値の調整などが制御される。
【００２２】
リード線９ｄ、９ｅと穴部９ｆ、９ｇとの間には、それぞれ隙間９ｈ、９ｉが形成される。開口部９ｃの前側（第２のダクト吸気口８ｃと対向する側）には、パッキン９ｊが設けられる。また、筐体９ａの下面には、筐体９ａを掃除機本体１へ取り付けるための取付部９ｋが設けられる。取付部９ｋの穴にネジ２４を挿通して掃除機本体１へ固定する（図１２参照）。
【００２３】
イオン発生部９ｂには、負電位の針状電極９ｌと、これに対向するゼロ電位の対向電極９ｍとを備える。針状電極９１には５ｋＶ程度の負電圧が印加される。リード線９ｄ及び９ｅは、それぞれ、針状電極９ｌ及び対向電極９ｍに接続され、中心部の金属線の周囲がビニールで被覆されている。リード線９ｄ及び９ｅの直径は、例えば、それぞれ２．１ｍｍ及び１．８ｍｍであり、穴部の直径は２．４ｍｍ程度である。このように、リード線と穴部との間に隙間が形成され、後述するように、電動送風機１３が駆動されて吸気風路が負圧になると、この隙間から筐体９ａの外気が筐体９ａ内に侵入する。
【００２４】
図１０（ｂ）に示すように、穴部９ｆ、９ｇに対しイオン発生部９ｂは右側に偏在し、開口部９ｃは左側に偏在している。このように配置することにより、穴部９ｆ、９ｇから外気とともに塵埃が侵入しても、その外気は開口部９ｃに向かって流れるのでイオン発生部９ｂに向かわず、塵埃がイオン発生部９ｂに付着して汚損することを抑制できる。
【００２５】
図１１（ａ）及び（ｂ）は、それぞれ、イオン発生部９ｂの電極９ｌ、９ｍ側から見た平面図及び開口部９ｃ側から見た横断面図である。針状電極９ｉにはリード線９ｄにより５ｋＶ程度の直流負電圧が印加される。対向電極９ｍは針状電極９ｌを取り囲むように配置される略コ字状の電極で、リード線９ｅにより０電位、すなわち、アース電位に保たれる。これらの電極は、針状電極９ｉの位置に切り欠かれた略コ字状の基板９ｎの上に配設され、絶縁部材９ｏで絶縁、固定される。針状電極９ｉの先端付近に電界が集中してコロナ放電が生じ、マイナスイオンが発生する。
【００２６】
次に動作について説明する。
ホース手元部４の操作スイッチの起動ボタンを押すと、制御部が電動送風機１３を駆動するように制御する。電動送風機１３の駆動により、電動送風機１３の上流側の風路に負圧が発生し、床面等の塵埃は空気と共に吸込具２の下面の吸込口２ａから吸引され、延長パイプ３、ホース手元部４からホース差込部６を経由してホース差込口７より掃除機本体１へと導かれる。
【００２７】
掃除機本体１内へ導かれた塵埃を含む空気（塵埃空気）は、第１の本体吸気口７ａから第１部材８１、第２部材８２、第３部材８３及び第４部材８４からなるダクト８を通過して、第４部材８４に設けられたダクト排気口８ｂから排出される。ダクト排気口８ｂから排出された塵埃空気は、サイクロン吸気口１０ａからサイクロン式集塵部１０内へ導かれる。サイクロン式集塵部１０内に導かれた塵埃空気は、二つの遠心分離筒である第１の遠心分離筒１０１及び第２の遠心分離筒１０２の中で旋回流となり、その遠心力により塵埃が分離されて集塵装置内集塵室１０５に蓄積される。塵埃の取り除かれた空気はサイクロン排気口１０ｂから排出される。
【００２８】
サイクロン排気口１０ｂから排出された空気は、掃除機本体１に設けた第２の本体吸気口１１から再び掃除機本体１の内部へ導かれる。その後、電動送風機１３を経由して送風室１２へ導かれる。送風室１２へ導かれた空気は、排気部１４に排出され、排気部１４に設けられた多数の穴から構成される排気口１４ａから掃除機本体１の外部へ排気される。なお、送風室１２から排出される空気の一部は、制御基板（図示せず）を冷却し、電源コードリールを冷却して、排気口１４ａとは別の排気口（図示せず）から掃除機本体１の外部へ排気される。
【００２９】
また、電動送風機１３の駆動と同時に、制御部は直流高電圧発生装置に高電圧を発生するよう制御する。直流高電圧発生装置は接続されるリード線９ｄ及びリード線９ｅにそれぞれ５ｋＶ程度の負電圧、及びゼロ電圧を出力する。リード線９ｄ，９ｅに出力された直流電圧が、それぞれ接続されるイオン発生部９ｂ内の針状電極９ｌ及び対向電極９ｍに印加される。針状電極９ｌ及び対向電極９ｍの間に直流高電圧が印加されると、電界が集中する針状電極９ｌの先端付近にコロナ放電が発生し、負イオンが発生する。
【００３０】
電動送風機１３の駆動により、集塵装置であるサイクロン式集塵部１０より上流側の吸気風路に負圧が生じる。この吸気風路の一部を形成する第２部材８２に設けられた第２のダクト吸気口８ｃ付近にも負圧が生じることになる。すると、第２のダクト吸気口８ｃとパッキン９ｊを介して接続されるイオン発生器９の筐体９ａ内も負圧となる。そして、筐体９ａに設けられた穴部９ｆ、９ｇとリード線９ｄ、９ｅとの隙間９ｈ、９ｉから、筐体９ａの外気が筐体９ａ内に侵入する。この侵入した外気に負イオンが誘引されて、筐体９ａの開口部９ｃを経由して、吸気風路内に負イオンを含んだ外気が供給される。
【００３１】
このように、負イオンは筐体９ａの外気に吸引されて吸気風路に供給されるので、吸気風路中の塵埃がイオン発生器９に侵入することがなく、イオン発生部９ｂが塵埃により汚損されることを抑制できる。また、穴部９ｆ、９ｇに対しイオン発生部９ｂは右側に偏在し、開口部９ｃは左側に偏在しているので、穴部９ｆ、９ｇから外気とともに塵埃が侵入しても、その外気は開口部９ｃに向かって流れるのでイオン発生部９ｂに向かわず、塵埃がイオン発生部９ｂの電極９ｌ等に付着して汚損することを抑制できる。
【００３２】
イオン発生器９から供給された負イオンは、ダクト９を経由してサイクロン集塵部１０へ供給される。そして、正に帯電しているサイクロン集塵部１０の内壁を除電し、塵埃が付着するのを抑制する。また、正に帯電している塵埃を除電する。
塵埃が除電されることで塵埃同士に働く斥力が無くなり微細な塵埃が凝集して大きくなる。
【００３３】
電動送風機１３を駆動して掃除する場合、本来床面の塵埃を吸引するための吸込口２ａから吸気する風路に対し、イオン発生器９の筐体９ａの隙間９ｈ，９ｉからも吸気されるので、塵埃を吸引するための仕事率が低下する。実施の形態１において、イオン発生器９の筐体９ａの隙間９ｈ、９ｉの面積は、合計で円形２ｍｍの穴と同じ程度である。そして、この穴の面積による仕事率の低下は１０Ｗ程度であることを実験的に確認している。したがって、イオン発生器９の筐体９ａに吸気用の隙間を設けても吸引性能の低下を少なくすることができる。
【００３４】
このように、実施の形態１における電気掃除機によれば、電動送風機が駆動され吸気風路内が負圧になると、外気がイオン発生器の筐体内を経由して吸気風路に侵入可能な隙間を、筐体に設けた穴部とイオン発生部へ電力を供給するリード線との間に形成したので、塵埃の付着によるイオン発生器の汚損を防止するとともに、吸気風路に対して簡単な構造で、吸引性能の低下を抑制するとともに安定してイオンを供給することができる。
【００３５】
また、集塵装置の上流側の吸気風路にイオンを供給するようにしたので、帯電した集塵装置の内壁を除電することができる。
【００３６】
また、掃除機本体の吸込部と集塵装置の入口部とを連通するダクト中にイオンが供給されるようにしたので、イオンが供給される第２のダクト吸気口から集塵装置までの距離が短く、第２のダクト吸気口から集塵装置までのダクトの内壁を除電するのに使用されるイオンを低減し、集塵装置へ供給するイオンの量を確保することができる。
【００３７】
また、イオン発生器の筐体の穴部に対し、イオン発生部は右側に偏在し、筐体の開口部は左側に偏在ように配置することにより、穴部から外気とともに塵埃が侵入しても、その外気は開口部に向かって流れるのでイオン発生部に向かわず、塵埃がイオン発生部に付着して汚損することを抑制できる。
【００３８】
なお、実施の形態１の電気掃除機では、集塵装置をサイクロン式集塵部としたが、紙パック集塵方式集塵部としてもよい。紙パックの内壁や、紙パック内の塵埃を除電でき、ゴミの廃棄が容易になる。また、塵埃が除電されることで塵埃同士に働く斥力が無くなり微細な塵埃が凝集して大きくなり、フィルターによる捕集力を上げることができる。
【００３９】
また、実施の形態１の電気掃除機では、イオンが供給される吸気風路として、掃除機本体の吸込部と集塵装置の入口部とを連通するダクトに設けた第２のダクト吸気口としたが、ホース手元部や吸込具に設けてもよい。イオンが供給される位置の下流側の風路の壁面や塵埃が除電されるので、塵埃が壁面に付着することを抑制できる。
【００４０】
実施の形態２．
実施の形態１の電気掃除機では、第２のダクト吸気口を第２部材の直管部分付近に設けたが、湾曲部８７付近に設けるものである。
図１３は、本発明の実施の形態２に係る電気掃除機のダクト湾曲部の空気の流れを説明する模式図である。
図１３（ａ）は、ダクト８５の横断面図であり、二つの直管部８６が湾曲部８７を介して接続されている。同図中Ｃはダクト８５中の空気流を示す。
図１３（ｂ）は、図１３（ａ）のＩ−Ｉ線断面図である。同図中Ｄは、同断面内の還流を示す。
【００４１】
直管部８６を流れる流体である空気に対し、湾曲部８７では遠心力が働く。流速の大きい管中央部の空気に作用する遠心力は、管壁付近の流速の小さい空気に作用する遠心力よりも大きいので、管中央部の空気は曲がりの外側である外周部Ｂ側へ押しやられ、管壁近くの空気は壁に沿って曲がりの内側である内周部Ａ側へ回り込む。また、Ｉ―Ｉ線断面内の壁面の圧力分布は、外周部Ｂ側で高く、内周部Ａ側で低いことが知られている。その結果、図１３（ｂ）に示すように、矢印Ｄのような還流が生じる。
【００４２】
内周部Ａ付近の還流Ｄは壁面から管中央方向に流れるので、内周部Ａ付近にイオン発生器９と連通する第２のダクト吸気口８ｃを設ければ、イオン発生器９で発生したイオンが還流Ｄにより効率よくダクト８７内に供給される。
【００４３】
内周部Ａ付近に限らず、第２のダクト吸気口８ｃを湾曲部８７の外周に設けてもよい。空気流Ｃに還流Ｄの流れが加わるので、壁面付近の流速が増し、ベルヌイの定理から圧力が低下するので、イオン発生器９で発生したイオンが効率よくダクト８５内に供給される。
【００４４】
このように、実施の形態２における電気掃除機によれば、吸気風路の湾曲する部分からイオンを供給するようにしたので、イオン発生器で発生したイオンが効率よく吸気風路内に供給される。
【符号の説明】
【００４５】
１  掃除機本体、
２  吸込具、
２ａ  吸込口、
３  延長パイプ、
４  ホース手元部、
５  蛇腹ホース、
６  ホース差込部、
７  ホース差込口、
７ａ  第１の本体吸気口（掃除機本体の吸込部）、
８  ダクト、
８１  第１部材、
８２  第２部材、
８３  第３部材、
８４  第４部材、
８ａ  第１のダクト吸気口、
８ｂ  ダクト排気口、
８ｃ  第２のダクト吸気口、
８ｄ  取付部、
８ｅ  位置決め部、
８ｆ  パッキン、
８５  ダクト、
８６  直管部、
８７  湾曲部、
９  イオン発生器、
９ａ  筐体、
９ｂ  イオン発生部、
９ｃ  開口部、
９ｄ  リード線、
９ｅ  リード線、
９ｆ  穴部、
９ｇ  穴部、
９ｈ  隙間、
９ｉ  隙間、
９ｊ  パッキン、
９ｋ  取付部、
９ｌ  針状電極、
９ｍ  対向電極、
９ｎ  基板、
９ｏ  絶縁部材、
１０  サイクロン式集塵部（集塵装置）、
１０ａ  サイクロン吸気口、
１０ｂ  サイクロン排気口、
１０１  第１の遠心分離筒、
１０２  第２の遠心分離筒、
１０３  中心軸Ａ、
１０４  中心軸Ｂ、
１０５  集塵装置内集塵室、
１０６  ハンドル、
１１  第２の本体吸気口、
１２  送風室、
１３  電動送風機、
１４  排気部、
１４ａ  排気口、
２０  集塵室、
２１  パッキン、
２２  上ケース、
２３  ネジ、
２４  ネジ、
１００  電気掃除機、
Ａ  内周部、
Ｂ  外周部、
Ｃ  空気流、
Ｄ  還流。
【図１】
0005736976.tif 000002
【図２】
0005736976.tif 000003
【図３】
0005736976.tif 000004
【図４】
0005736976.tif 000005
【図５】
0005736976.tif 000006
【図６】
0005736976.tif 000007
【図７】
0005736976.tif 000008
【図８】
0005736976.tif 000009
【図９】
0005736976.tif 000010
【図１０】
0005736976.tif 000011
【図１１】
0005736976.tif 000012
【図１２】
0005736976.tif 000013
【図１３】
0005736976.tif 000014